(57)【要約】      （修正有）【課題】温室で植物を栽培する時、温室面積の全体で植物を栽培することができる植物の大量栽培装置を提供する。【解決手段】温室１０の上部を水平に横切るトラスに設置される駆動手段２０と、前記トラスの下側に駆動手段の駆動方向に沿って移動方向が変わるように設置される移動部材３０と、前記移動部材の移動方向に沿って左側部分が上昇すれば右側部分が下降し、左側部分が下降すれば右側部分が上昇するようにトラスの下側に所定間隔で設置される複数の昇降部材４０と、前記昇降部材の左側部分と右側部分の下端にそれぞれ吊り下げられるように敷設される複数の栽培ガター５０とを含んで構成される。【選択図】図１
2014083051.tif 000002
【特許請求の範囲】
【請求項１】
温室（１０）の上部を水平に横切るトラスに設置される駆動手段（２０）と、
前記トラスの下側に駆動手段（２０）の駆動方向に沿って移動方向が変わるように設置される移動部材（３０）と、
前記移動部材（３０）によって左側部分（４３ａ）が上昇すれば右側部分（４３ｂ）が下降し、左側部分（４３ａ）が下降すれば右側部分（４３ｂ）が上昇するようにトラスの下側に所定間隔で設置される複数の昇降部材（４０）と、
前記昇降部材（４０）の左側部分と右側部分の下端にそれぞれ吊り下げられるように敷設される複数の栽培ガター（５０）とを含んで構成される植物の大量栽培装置において、
前記駆動手段（２０）は、トラスに固設される減速モーター（２１）と、前記減速モーター（２１）によって回転するように設置されるピニオン（２２）と、前記ピニオン（２２）と噛み合うように水平に設置されるラック（２３）とを含んで構成され；
前記移動部材（３０）は、前記トラスの所定位置に固設される複数のローラーハンガー（３１）と、前記ローラーハンガー（３１）の各下部に軸設される上ローラー（３２）及び下ローラー（３２’）と、前記上ローラー（３２）と下ローラー（３２’）との間を水平に貫通するように支持設置され、ラック（２３）の左端を右端に挿入固定する左側移動パイプ（３３）及び前記上ローラー（３２）と下ローラー（３２’）との間を水平に貫通するように支持設置され、ラック（２３）の右端を左端に挿入固定する右側移動パイプ（３３’）とを含んで構成され；
前記昇降部材（４０）は、前記左側移動パイプ（３３）及び右側移動パイプ（３３’）が上側を通過するようにトラスに所定間隔で固設される複数のハンガー（４１）と、前記ハンガー（４１）の各下端に軸設されるスプロケットやプーリー（４２）と、前記ハンガー（４１）の中で互いに隣接する２つのハンガー（４１）を１組にして、各組２つのハンガー（４１）の中間に対応する部分を左側移動パイプ（３３）または右側移動パイプ（３３’）に結束固定し、前記結束固定された部分を基準にして、下端に栽培ガター（５０）を敷設する左側部分（４３ａ）は左側位置ハンガー（４１）のスプロケットやプーリー（４２）の左側を経て下向きにかけ、下端に栽培ガター（５０）を敷設する右側部分（４３ｂ）は右側位置ハンガー（４１）のスプロケットやプーリー（４２）の右側を経て下向きにかける昇降チェーンやワイヤ（４３）とを含んで構成されることを特徴とする植物の大量栽培装置。
【請求項２】
温室（１０）の上部を水平に横切るトラスに設置される駆動手段（２０）と、
前記トラスの下側に駆動手段（２０）の駆動方向に沿って移動方向が変わるように設置される移動部材（３０）と、
前記移動部材（３０）によって左側部分（４３ａ）が上昇すれば右側部分（４３ｂ）が下降し、左側部分（４３ａ）が下降すれば右側部分（４３ｂ）が上昇するようにトラスの下側に所定間隔で設置される複数の昇降部材（４０）と、
前記昇降部材（４０）の左側部分と右側部分の下端にそれぞれ吊り下げられるように敷設される複数の栽培ガター（５０）とを含んで構成される植物の大量栽培装置において、
前記駆動手段（２０）は、前記トラスに固設される減速モーター（２１）と、前記減速モーター（２１）によって回転するように設置されるピニオン（２２）と、前記ピニオン（２２）が噛み合うように水平に設置されるラック（２３）とを含んで構成され；
前記移動部材（３０）は、前記トラスの所定位置に固設される複数のローラーハンガー（３１）と、前記ローラーハンガー（３１）の各下部に軸設される上ローラー（３２）及び下ローラー（３２’）と、前記上ローラー（３２）と下ローラー（３２’）との間を水平に貫通するように支持設置され、ラック（２３）の左端を右端に挿入固定する左側移動パイプ（３３）及び前記上ローラー（３２）と下ローラー（３２’）との間を水平に貫通するように支持設置されて、ラック（２３）の右端を左端に挿入固定する右側移動パイプ（３３’）とを含んで構成され；
前記昇降部材（４０）は、前記左側移動パイプ（３３）及び右側移動パイプ（３３’）が上側を通過するようにトラスに所定間隔で固設される複数のハンガー（４１）と、前記ハンガー（４１）の各下端に単一軸で設置される前後のスプロケットやプーリー（４２）（４２’）と、前記ハンガー（４１）の中で隣接する３つのハンガー（４１）を１組にして、各組の中間位置ハンガー（４１１）に対応する部分を左側移動パイプ（３３）または右側移動パイプ（３３’）に結束固定し、前記結束固定された部分を基準にして、下端に栽培ガター（５０）を敷設する左側部分（４３ａ）はハンガー（４１２）のスプロケットやプーリー（４２’）の左側を経て下向きにかけ、下端に栽培ガター（５０）を敷設する右側部分（４３ｂ）はハンガー（４１３）のスプロケットやプーリー（４２）の右側と下部を経てハンガー（４１１）のスプロケットやプーリー（４２）の上部と左側を経て下向きにかける昇降チェーンやワイヤ（４３）及び前記昇降チェーンやワイヤ（４３）がかけられたハンガー（４１１）（４１２）（４１３）の中のハンガー（４１２）とその左側に順次に隣接する他の２つのハンガー（４１）を１組にして、各組のハンガー（４１２）の直左側である中間位置ハンガー（４１）に対応する部分を左側移動パイプ（３３）または右側移動パイプ（３３’）に結束固定し、前記結束固定された部分を基準にして、下端に栽培ガター（５０）を敷設する左側部分（４３ａ）は中間位置のハンガー（４１）の直左側に位置するハンガー（４１）のスプロケットやプーリー（４２’）の左側を経て下向きにかけ、下端に栽培ガター（５０）を敷設する右側部分（４３ｂ）はハンガー（４１２）のスプロケットやプーリー（４２）の右側と下部を経てその直左側である前記中間位置ハンガー（４１）のスプロケットやプーリー（４２）の上部と左側を経て下向きにかける昇降チェーンやワイヤ（４３’）とを含んで構成されることを特徴とする植物の大量栽培装置。
【請求項３】
温室（１０）の上部を水平に横切るトラスに設置される駆動手段（２０）と、
前記トラスの下側に駆動手段（２０）の駆動方向に沿って移動方向が変わるように設置される移動部材（３０）と、
前記移動部材（３０）によって左側部分（４３ａ）が上昇すれば右側部分（４３ｂ）が下降し、左側部分（４３ａ）が下降すれば右側部分（４３ｂ）が上昇するようにトラスの下側に所定間隔で設置される複数の昇降部材（４０）と、
前記昇降部材（４０）の左側部分と右側部分の下端にそれぞれ吊り下げられるように敷設される複数の栽培ガター（５０）とを含んで構成される植物の大量栽培装置において、
前記駆動手段（２０）は、前記トラスに固設される減速モーター（２１）と、前記減速モーター（２１）によって回転するように設置されるピニオン（２２）と、前記ピニオン（２２）が噛み合うように水平に設置されるラック（２３）とを含んで構成され；
前記移動部材（３０）は、前記トラスの所定位置に固設される複数のローラーハンガー（３１）と、前記ローラーハンガー（３１）の各下部に軸設される上ローラー（３２）及び下ローラー（３２’）と、前記上ローラー（３２）と下ローラー（３２’）との間を水平で貫通するように支持設置され、ラック（２３）の左端を右端に挿入固定する左側移動パイプ（３３）及び前記上ローラー（３２）と下ローラー（３２’）との間を水平に貫通するように支持設置され、ラック（２３）の右端を左端に挿入固定する右側移動パイプ（３３’）とを含んで構成され；
前記昇降部材（４０）は、前記左側移動パイプ（３３）及び右側移動パイプ（３３’）が上側を通過するようにトラスに所定間隔で固設される複数のハンガー（４１）と、前記ハンガー（４１）の各下端に単一軸で設置される前後のスプロケットやプーリー（４２）（４２’）と、前記ハンガー（４１）の中で隣接する３つのハンガー（４１）を１組にして、各組の中間位置ハンガー（４１１）に対応する部分を左側移動パイプ（３３）または右側移動パイプ（３３’）に結束固定し、前記結束固定された部分を基準にして、下端に栽培ガター（５０）を敷設する左側部分（４３ａ）はハンガー（４１１）の左側に位置するハンガー（４１２）のスプロケットやプーリー（４２’）の左側を経て下向きにかけ、下端に栽培ガター（５０）を敷設する右側部分（４３ｂ）はハンガー（４１１）の右側に位置するハンガー（４１３）のスプロケットやプーリー（４２）の右側と下部を経てハンガー（４１１）のスプロケットやプーリー（４２）の上部と左側を経て下向きにかける昇降チェーンやワイヤ（４３）及び前記昇降チェーンやワイヤ（４３）がかけられたハンガー（４１１）（４１２）（４１３）の中のハンガー（４１３）とその右側に順次に隣接する他の２つのハンガー（４１）を１組にして、各組のハンガー（４１３）の直右側である中間位置ハンガー（４１）に対応する部分を左側移動パイプ（３３）または右側移動パイプ（３３’）に結束固定し、前記結束固定された部分を基準にして、下端に栽培ガター（５０）を敷設する左側部分（４３ａ）は中間位置のハンガー（４１）の直左側に位置するハンガー（４１３）のスプロケットやプーリー（４２’）の左側を経て下向きにかけ、下端に栽培ガター（５０）を敷設する右側部分（４３ｂ）は前記中間位置のハンガー（４１）の直右側ハンガー（４１）のスプロケットやプーリー（４２）の右側と下部を経て前記中間位置ハンガー（４１）のスプロケットやプーリー（４２）の上部と左側を経て下向きにかける昇降チェーンやワイヤ（４３’）とを含んで構成されることを特徴とする植物の大量栽培装置。
【請求項４】
温室（１０）の上部を水平に横切るトラスに設置される駆動手段（２０）と、
前記トラスの下側に駆動手段（２０）の駆動方向に沿って移動方向が変わるように設置される移動部材（３０）と、
前記移動部材（３０）によって左側部分（４３ａ）が上昇すれば右側部分（４３ｂ）が下降し、左側部分（４３ａ）が下降すれば右側部分（４３ｂ）が上昇するようにトラスの下側に所定間隔で設置される複数の昇降部材（４０）と、
前記昇降部材（４０）の左側部分と右側部分の下端にそれぞれ吊り下げられるように敷設される複数の栽培ガター（５０）とを含んで構成される植物の大量栽培装置において、
前記駆動手段（２０）は、前記トラスに固設される減速モーター（２１）と、前記減速モーター（２１）によって回転するように設置されるピニオン（２２）と、前記ピニオン（２２）が噛み合うように水平に設置されるラック（２３）とを含んで構成され；
前記移動部材（３０）は、前記トラスの所定位置に固設される複数のローラーハンガー（３１）と、前記ローラーハンガー（３１）の各下部に軸設される上ローラー（３２）及び下ローラー（３２’）と、前記上ローラー（３２）と下ローラー（３２’）との間を水平に貫通するように支持設置され、ラック（２３）の左端を右端に挿入固定する左側移動パイプ（３３）及び前記上ローラー（３２）と下ローラー（３２’）との間を水平に貫通するように支持設置され、ラック（２３）の右端を左端に挿入固定する右側移動パイプ（３３’）とを含んで構成され；
前記昇降部材（４０）は、前記左側移動パイプ（３３）及び右側移動パイプ（３３’）が上側を通過するようにトラスに所定間隔で固設される複数のハンガー（４１）と、前記ハンガー（４１）の各下端に単一軸で設置される前後のスプロケットやプーリー（４２）（４２’）と、前記ハンガー（４１）の中で隣接する４つのハンガー（４１）を１組にして、各組の左側から二番目と三番目のハンガー（４１）の中間に対応する部分を左側移動パイプ（３３）または右側移動パイプ（３３’）に結束固定し、前記結束固定された部分を基準にして、下端に栽培ガター（５０）を敷設する左側部分（４３ａ）は左側から第一ハンガー（４１）のスプロケットやプーリー（４２）の左側を経て下向きにかけ、下端に栽培ガター（５０）を敷設する右側部分（４３ｂ）は左側から四番目のハンガー（４１）のスプロケットやプーリー（４２）の右側と下部を経て三番目のハンガー（４１）のスプロケットやプーリー（４２）の下部と二番目のハンガー（４１）のスプロケットやプーリー（４２）の上部と左側を経て下向きにかける昇降チェーンやワイヤ（４３）及び前記昇降チェーンやワイヤ（４３）がかけられた４つのハンガー（４１）の中で三番目と四番目のハンガー（４１）と四番目のハンガー（４１）の右側に順次に隣接する他の２つのハンガー（４１）を１組にして各組の四番目のハンガー（４１）とその直右側である五番目のハンガー（４１）の中間に対応する部分を左側移動パイプ（３３）または右側移動パイプ（３３’）に結束固定し、前記結束固定された部分を基準にして、下端に栽培ガター（５０）を敷設する左側部分（４３ａ）は三番目のハンガー（４１）のスプロケットやプーリー（４２’）の左側を経て下向きにかけ、下端に栽培ガター（５０）を敷設する右側部分（４３ｂ）は前記五番目のハンガー（４１）の直右側である六番目のハンガー（４１）のスプロケットやプーリー（４２’）の右側と下面を経て五番目のハンガー（４１）のスプロケットやプーリー（４２’）の下面と四番目のハンガー（４１）のスプロケットやプーリー（４２’）の上部と左側を経て下向きにかける昇降チェーンやワイヤ（４３’）とを含んで構成されることを特徴とする植物の大量栽培装置。
【請求項５】
温室（１０）の上部を水平に横切るトラスに設置される駆動手段（２０）と、
前記トラスの下側に駆動手段（２０）の駆動方向に沿って移動方向が変わるように設置される移動部材（３０）と、
前記移動部材（３０）によって左側部分（４３ａ）が上昇すれば右側部分（４３ｂ）が下降し、左側部分（４３ａ）が下降すれば右側部分（４３ｂ）が上昇するようにトラスの下側に所定間隔で設置される複数の昇降部材（４０）と、
前記昇降部材（４０）の左側部分と右側部分の下端にそれぞれ吊り下げられるように敷設される複数の栽培ガター（５０）とを含んで構成される植物の大量栽培装置において、
前記駆動手段（２０）は、前記トラスに固設される減速モーター（２１）と、前記減速モーター（２１）によって回転するようにトラスに設置されるローラードラム（２２ａ）と、前記トラスのローラードラム（２２ａ）に対応する反対側に軸設されるローラードラム（２２ｂ）とを含んで構成され；
移動部材（３０）は、前記ローラードラム（２２ａ）（２２ｂ）の回動によってこれらの間を循環するようにかけられるワイヤで構成され；
前記昇降部材（４０）は、前記移動部材（３０）の上側部が上側を通過するようにトラスに所定間隔で固設される複数のハンガー（４１）と、前記ハンガー（４１）の各下端に軸設されるスプロケットやプーリー（４２）及び前記ハンガー（４１）の中で互いに隣接する２つのハンガー（４１）を１組にして各組の２つのハンガー（４１）の中間に対応する部分を移動部材（３０）に結束固定し、前記結束固定された部分を基準にして、下端に栽培ガター（５０）を敷設する左側部分（４３ａ）は左側位置ハンガー（４１）のスプロケットやプーリー（４２）の左側を経て下向きにかけ、下端に栽培ガター（５０）を敷設する右側部分（４３ｂ）は右側位置ハンガー（４１）のスプロケットやプーリー（４２）の右側を経て下向きにかける昇降チェーンやワイヤ（４３）とを含んで構成されることを特徴とする植物の大量栽培装置。
【請求項６】
温室（１０）の上部を水平に横切るトラスに設置される駆動手段（２０）と、
前記トラスの下側に駆動手段（２０）の駆動方向に沿って移動方向が変わるように設置される移動部材（３０）と、
前記移動部材（３０）によって左側部分（４３ａ）が上昇すれば右側部分（４３ｂ）が下降し、左側部分（４３ａ）が下降すれば右側部分（４３ｂ）が上昇するようにトラスの下側に所定間隔で設置される複数の昇降部材（４０）と、
前記昇降部材（４０）の左側部分と右側部分の下端にそれぞれ吊り下げられるように敷設される複数の栽培ガター（５０）とを含んで構成される植物の大量栽培装置において、
前記駆動手段（２０）は、トラスに固設される減速モーター（２１）と、前記減速モーター（２１）によって回転するようにトラスに設置されるローラードラム（２２ａ）と、前記ローラードラム（２２ａ）に対応するようにトラスに軸設されるローラードラム（２２ｂ）とを含んで構成され；
前記移動部材（３０）は、前記ローラードラム（２２ａ）（２２ｂ）の回動によってこれらの間を循環するようにかけられるワイヤで構成され；
前記昇降部材（４０）は、前記移動部材（３０）の上側部が上側を通過するようにトラスに所定間隔で固設される複数のハンガー（４１）と、前記ハンガー（４１）の各下端に単一軸で設置される前後のスプロケットやプーリー（４２）（４２’）と、前記ハンガー（４１）の中で隣接する３つのハンガー（４１）を１組にして、各組の中間位置ハンガー（４１１）に対応する部分を移動部材（３０）に結束固定し、前記結束固定された部分を基準にして、下端に栽培ガター（５０）を敷設する左側部分（４３ａ）はハンガー（４１２）のスプロケットやプーリー（４２’）の左側を経て下向きにかけ、下端に栽培ガター（５０）を敷設する右側部分（４３ｂ）はハンガー（４１３）のスプロケットやプーリー（４２）の右側と下部を経てハンガー（４１１）のスプロケットやプーリー（４２）の上部と左側を経て下向きにかける昇降チェーンやワイヤ（４３）及び前記昇降チェーンやワイヤ（４３）がかけられたハンガー（４１１）（４１２）（４１３）の中のハンガー（４１２）とその左側に順次に隣接する他の２つのハンガー（４１）を１組にして各組のハンガー（４１２）の直左側である中間位置ハンガー（４１）に対応する部分を移動部材（３０）に結束固定し、前記結束固定された部分を基準にして、下端に栽培ガター（５０）を敷設する左側部分（４３ａ）は中間位置のハンガー（４１）の直左側に位置するハンガー（４１）のスプロケットやプーリー（４２’）の左側を経て下向きにかけ、下端に栽培ガター（５０）を敷設する右側部分（４３ｂ）はハンガー（４１２）のスプロケットやプーリー（４２）の右側と下部を経てその直左側である前記中間位置ハンガー（４１）のスプロケットやプーリー（４２）の上部と左側を経て下向きにかける昇降チェーンやワイヤ（４３’）とを含んで構成されることを特徴とする植物の大量栽培装置。
【請求項７】
温室（１０）の上部を水平に横切るトラスに設置される駆動手段（２０）と、
前記トラスの下側に駆動手段（２０）の駆動方向に沿って移動方向が変わるように設置される移動部材（３０）と、
前記移動部材（３０）によって左側部分（４３ａ）が上昇すれば右側部分（４３ｂ）が下降し、左側部分（４３ａ）が下降すれば右側部分（４３ｂ）が上昇するようにトラスの下側に所定間隔で設置される複数の昇降部材（４０）と、
前記昇降部材（４０）の左側部分と右側部分の下端にそれぞれ吊り下げられるように敷設される複数の栽培ガター（５０）とを含んで構成される植物の大量栽培装置において、
前記駆動手段（２０）は、トラスに固設される減速モーター（２１）と、前記減速モーター（２１）によって回転するようにトラスに軸設されるローラードラム（２２ａ）と、前記ローラードラム（２２ａ）に対応するようにトラスに軸設されるローラードラム（２２ｂ）とを含んで構成され；
前記移動部材（３０）は、前記ローラードラム（２２ａ）（２２ｂ）の回動によってこれらの間を循環するようにかけられるワイヤで構成され；
前記昇降部材（４０）は、前記移動部材（３０）の上側部が上側を通過するようにトラスに所定間隔で固設される複数のハンガー（４１）と、前記ハンガー（４１）の各下端に単一軸で設置される前後のスプロケットやプーリー（４２）（４２’）と、前記ハンガー（４１）の中で隣接する３つのハンガー（４１）を１組にして、各組の中間位置ハンガー（４１１）に対応する部分を移動部材（３０）に結束固定し、前記結束固定された部分を基準にして、下端に栽培ガター（５０）を敷設する左側部分（４３ａ）はハンガー（４１１）の左側に位置するハンガー（４１２）のスプロケットやプーリー（４２’）の左側を経て下向きにかけ、下端に栽培ガター（５０）を敷設する右側部分（４３ｂ）はハンガー（４１１）の右側に位置するハンガー（４１３）のスプロケットやプーリー（４２）の右側と下部を経てハンガー（４１１）のスプロケットやプーリー（４２）の上部と左側を経て下向きにかける昇降チェーンやワイヤ（４３）及び前記昇降チェーンやワイヤ（４３）がかけられたハンガー（４１１）（４１２）（４１３）の中のハンガー（４１３）とその右側に順次に隣接する他の２つのハンガー（４１）を１組にして、各組のハンガー（４１３）の直右側である中間位置ハンガー（４１）に対応する部分を移動部材（３０）に結束固定し、前記結束固定された部分を基準にして、下端に栽培ガター（５０）を敷設する左側部分（４３ａ）は中間位置のハンガー（４１）の直左側に位置するハンガー（４１３）のスプロケットやプーリー（４２’）の左側を経て下向きにかけ、下端に栽培ガター（５０）を敷設する右側部分（４３ｂ）は前記中間位置のハンガー（４１）の直右側ハンガー（４１）のスプロケットやプーリー（４２）の右側と下部を経て前記中間位置ハンガー（４１）のスプロケットやプーリー（４２）の上部と左側を経て下向きにかける昇降チェーンやワイヤ（４３’）とを含んで構成されることを特徴とする植物の大量栽培装置。
【請求項８】
温室（１０）の上部を水平に横切るトラスに設置される駆動手段（２０）と、
前記トラスの下側に駆動手段（２０）の駆動方向に沿って移動方向が変わるように設置される移動部材（３０）と、
前記移動部材（３０）によって左側部分（４３ａ）が上昇すれば右側部分（４３ｂ）が下降し、左側部分（４３ａ）が下降すれば右側部分（４３ｂ）が上昇するようにトラスの下側に所定間隔で設置される複数の昇降部材（４０）と、
前記昇降部材（４０）の左側部分と右側部分の下端にそれぞれ吊り下げられるように敷設される複数の栽培ガター（５０）とを含んで構成される植物の大量栽培装置において、
前記駆動手段（２０）は、トラスに固設される減速モーター（２１）と、前記減速モーター（２１）によって回転するようにトラスに軸設されるローラードラム（２２ａ）と、前記ローラードラム（２２ａ）に対応するようにトラスに軸設されるローラードラム（２２ｂ）とを含んで構成され；
前記移動部材（３０）は、前記ローラードラム（２２ａ）（２２ｂ）の回動によってこれらの間を循環するようにかけられるワイヤで構成され；
前記昇降部材（４０）は、前記移動部材（３０）の上側部が上側を通過するようにトラスに所定間隔で固設される複数のハンガー（４１）と、前記ハンガー（４１）の各下端に単一軸で設置される前後のスプロケットやプーリー（４２）（４２’）と、前記ハンガー（４１）の中で隣接する４つのハンガー（４１）を１組にして各組の左側から二番目と三番目のハンガー（４１）の中間に対応する部分を移動部材（３０）に結束固定し、前記結束固定された部分を基準にして、下端に栽培ガター（５０）を敷設する左側部分（４３ａ）は左側から一番目のハンガー（４１）のスプロケットやプーリー（４２）の左側を経て下向きにかけ、下端に栽培ガター（５０）を敷設する右側部分（４３ｂ）は左側から四番目のハンガー（４１）のスプロケットやプーリー（４２）の右側と下部を経て三番目のハンガー（４１）のスプロケットやプーリー（４２）の下部と二番目のハンガー（４１）のスプロケットやプーリー（４２）の上部と左側を経て下向きにかける昇降チェーンやワイヤ（４３）及び前記昇降チェーンやワイヤ（４３）がかけられた４つのハンガー（４１）の中で三番目と四番目のハンガー（４１）と四番目のハンガー（４１）の右側に順次に隣接する他の２つのハンガー（４１）を１組にして、各組の四番目のハンガー（４１）とその直右側である五番目のハンガー（４１）の中間に対応する部分を移動部材（３０）に結束固定し、前記結束固定された部分を基準にして、下端に栽培ガター（５０）を敷設する左側部分（４３ａ）は三番目のハンガー（４１）のスプロケットやプーリー（４２’）の左側を経て下向きにかけ、下端に栽培ガター（５０）を敷設する右側部分（４３ｂ）は五番目のハンガー（４１）の直右側である六番目のハンガー（４１）のスプロケットやプーリー（４２’）の右側と下面を経て五番目のハンガー（４１）のスプロケットやプーリー（４２’）の下面と四番目のハンガー（４１）のスプロケットやプーリー（４２’）  上部と左側を経て下向きにかける昇降チェーンやワイヤ（４３’）とを含んで構成されることを特徴とする植物の大量栽培装置。
【請求項９】
前記昇降部材（４０）は、右側に移動すれば前記左側部分（４３ａ）に敷設された栽培ガター（５０）は上昇し、右側部分（４３ｂ）に敷設された栽培ガター（５０）は下降して、上昇及び下降した複数の栽培ガター（５０）の間に通路が形成されるようにし、左側に移動して原位置すれば、左側部分（４３ａ）に敷設された栽培ガター（５０）は下降し、右側部分（４３ｂ）に敷設された栽培ガター（５０）は上昇して同一高さに互いに水平状態に位置するように設置して構成されることを特徴とする請求項２〜９の中の何れか一項に記載の植物の大量栽培装置。
【請求項１０】
前記栽培ガター（５０）は、上下所定間隔で２段以上の多段に敷設して構成されることを特徴とする請求項９に記載の植物の大量栽培装置。
【発明の詳細な説明】
【技術分野】
【０００１】
本発明は植物の大量栽培装置に関し、さらに詳しくは、温室で植物を栽培する時、温室面積の全体で植物を栽培することができるようにするので、大量生産が可能な植物の大量栽培装置に関する。
【背景技術】
【０００２】
一般に、温室で土壌栽培や水耕栽培などをする際に、種まきや栽培管理または収獲をするのに必要な作業者の通路に少なくとも温室面積の半分ぐらいが必要になり、そのため、通路の面積によって、栽培面積が半減されて温室面積当たりの生産量が大幅に減少するという問題点があった。これによって生産費用は勿論、消費者物価も上昇するようになって、生産者と消費者の費用の負担が多くなるなどの問題点があった。
【０００３】
そこで、従来にも栽培面積の利用効率を向上させることができるようにするために、複数の栽培容器をそれぞれの支持機構と第１、２昇降機構によって交互に昇降させることができるように、温室の大梁に横方向で並んで吊り下げて、上記第１昇降機構または第２昇降機構を作動させて、栽培容器が一つずつ交互に上昇または下降するようにすることによって、上昇及び下降した栽培容器の間に作業通路が形成されるようにする植物栽培装置（日本公開特許公報特開２００２−０３４３３７号）があった。
【０００４】
しかしながら、このような植物栽培装置は、栽培容器を一つずつ交互に上昇または下降させる第１、２昇降機構がそれぞれ駆動モーターと、上記駆動モーターの駆動力を伝達するための駆動軸と、チェーンギア及びスプロケットを備えて構成さ、また、一端に支持機構をかけるチェーンの他端には支持機構に積載される栽培容器の重量を考慮したカウンターウェイトを装着して支持機構の昇降が順調に行われるようにしたため、その構造が全体的に複雑で、所要される製作費用及び設置費用が多く、且つメンテナンスも困難であるという問題点があった。
【先行技術文献】
【特許文献】
【０００５】
【特許文献１】日本公開特許公報特開２００２−０３４３３７号
【発明の概要】
【発明が解決しようとする課題】
【０００６】
本発明は従来のこのような問題点を鑑みて発明されたもので、温室当りの生産量が倍加されるようにする植物の大量生産装置を提供することを目的とする。
【０００７】
本発明は、生産者と消費者の費用の負担が大幅に節減されるようにする植物の大量生産装置を提供することを他の目的とする。
【課題を解決するための手段】
【０００８】
本発明は、このような目的を達するために、温室の柱の上部を水平に横切るトラスに設置される駆動手段と、上記駆動手段によって左右移動するように水平に設置される移動部材と、上記移動部材の左右移動によって昇降するように設置される複数の昇降部材と、上記昇降部材に吊り上げられるように敷設される複数の栽培ガターとを含んで構成されて、普段は、複数の栽培ガターが全部地面から所定高さに位置するように所定間隔で水平を維持するように吊り下げられ、種まきや栽培管理または収獲をするために、作業者の移動が必要な場合には、駆動手段を可動させて移動部材を左側や右側に移動させれば、複数の昇降部材が交互に一つは上昇し、もう一つは下降するようになって、各昇降部材に吊り下げられるように敷設された複数の栽培ガターが一つずつ交互に上昇及び下降するので、下降した栽培ガターの間には上昇した栽培ガターによって作業者が移動することができる通路が形成され、それによって、温室の面積を全部栽培面積として使うことができるようにして、生産量が倍加されるようにする植物の大量生産装置を提供する。
【発明の効果】
【０００９】
このような本発明の実施例による植物の大量生産装置は、温室の面積を全部栽培面積として使うことができるようにする特徴があり、これによって、温室当りの生産量が倍加され、且つ生産費用と消費者の物価の上昇要因が解消されるようにすることによって、生産者及び消費者の費用の負担が大幅に節減されるようにするなどの経済的効果も奏することができる。
【図面の簡単な説明】
【００１０】
【図１】本発明の第１実施例による植物の大量生産装置が設置された温室を概略的に示した正面図である。
【図２】図１で植物の大量生産装置を抜粹して概略的に示した平面図である。
【図３ａ】図１で移動部材と昇降部材を一部抜粋して拡大して示した正面図である。
【図３ｂ】図３ａで昇降部材の一部を抜粹して示した平面図である。
【図３ｃ】図１の植物の大量生産装置に適用される昇降部材の変形例を示した正面図である。
【図４】図３ａで移動部材の一部を抜粋して拡大して示した側断面図である。
【図５】図３ａで昇降部材の一部を抜粋して拡大して示した側面図である。
【図６ａ】図１で栽培ガターが水平状態である部分を抜粋して拡大して示した正面図である。
【図６ｂ】図１で栽培ガターが交互に昇降した状態である部分を抜粋して拡大して示した正面図である。
【図７ａ】図１で栽培ガターが水平状態である時の一部を抜粋して拡大して示した側面図である。
【図７ｂ】図１で栽培ガターが交互に昇降した状態である時の一部を抜粋して拡大して示した側面図である。
【図８】本発明の第２実施例による植物の大量生産装置が設置された温室を概略的に示した正面図である。
【図９】図８で栽培ガターが水平状態である時の一部を抜粋して拡大して示した側面図である。
【図１０】図８で移動部材と昇降部材を一部抜粋して拡大して示した側断面図である。
【図１１】本発明の第１実施例及び第２実施例による植物の大量生産装置に適用される昇降部材の他の例を示した拡大正面図である。
【図１２ａ】本発明の第１実施例及び第２実施例による植物の大量生産装置に適用される昇降部材のまた他の例を示した拡大正面図である。
【図１２ｂ】図１２ａで昇降部材の一部を抜粹して示した平面図である。
【発明を実施するための形態】
【００１１】
以下、本発明の実施例による植物の大量生産装置を添付された図面に基づいて詳しく説明すれば次の通りである。
【００１２】
図１は本発明の第１実施例による植物の大量生産装置が設置された温室を概略的に示した正面図であり、図２は図１で植物の大量生産装置を抜粹して概略的に示した平面図である。
【００１３】
本発明の第１実施例による植物の大量栽培装置は、温室１０の複数の柱１１の上部を水平に横切るトラス１２に設置される駆動手段２０と、上記トラスの下側に左右水平に横切るように設置されて、駆動手段によって左右移動する移動部材３０と、上記移動部材の左右移動によって昇降するように設置される複数の昇降部材４０と、上記昇降部材に吊り下げられるように敷設される複数の栽培ガター５０とを含んで構成されることを特徴とする。
【００１４】
温室１０はトラス１２の中央上部に横方向で設置され、上端部には横方向に天窓ヒンジ１３が敷設され、側面には所定間隔で孔が形成された棟１４と、中間を上記孔に差し込んで両側方向に下向きに傾斜された三角形に設置される複数の垂木パイプ１５と、上記垂木パイプの一側上部を除いた両側部分の外面上部と外面下部に外内部被覆材を内部空間に空気層が形成されるようにそれぞれ結合して、棟の両側に横方向に長く形成される開放部１６と、各上端が上記天窓ヒンジに回動可能に結合設置されて、開放部を開閉する蓋１７と、モーターの駆動によって回動するように設置されて、上記蓋を回動させるオープン棒１８とを備える屋根構造を含む。
【００１５】
勿論、このような温室１０の屋根構造は一般的に広く使われている構造をそのまま適用するので具体的な説明は省略する。
【００１６】
図３ａは図１で移動部材と昇降部材を一部抜粋して拡大して示した正面図であり、図３ｂは図３ａで昇降部材の一部を抜粹して示した平面図であり、図３ｃは図１の植物の大量生産装置に適用される昇降部材の変形例を示した正面図であり、図４は図３ａで移動部材の一部を抜粋して拡大して示した側断面図であり、図５は図３ａで昇降部材の一部を抜粋して拡大して示した側断面図であり、図６ａは図１で栽培ガターが水平状態である部分を抜粋して拡大して示した正面図であり、図６ｂは図１で栽培ガターが交互に昇降した状態である部分を抜粋して拡大して示した正面図であり、図７ａは図１で栽培ガターが水平状態である時の一部を抜粋して拡大して示した側面図であり、図７ｂは図１で栽培ガターが交互に昇降した状態である時の一部を抜粋して拡大して示した側面図である。
【００１７】
駆動手段２０は、減速モーター２１とピニオン２２及びラック２３と駆動パイプ２４を備えてなる。
【００１８】
減速モーター２１はトラス１２に固設され、ピニオン２２は上記減速モーターによって回転するように設置される。
【００１９】
ラック２３はピニオン２２と噛み合うように水平に設置され、複数の栽培ガター５０が全部同じ高さに位置するようになり、普段は上記ラックの中間がピニオンと噛み合っているので、ラックはピニオンの回転方向に沿ってピニオンを中心に左側または右側に水平移動する。
【００２０】
この時、ラック２３が左側または右側に移動する距離は、後述するように、減速モーター２１の駆動によって、移動部材３０によって垂直に昇降する昇降部材４０に吊り下げられる複数の栽培ガター５０が昇降または下降する高さに比例する。
【００２１】
これによって、ラック２３の長さは、左側または右側に移動する距離よりは長くして、何れの方向に移動しても歯車の歯がピニオン２２との噛み合い状態を脱しないようにする。
【００２２】
また、栽培ガター５０は前後に長く形成されるものであるので、それぞれ水平を維持する状態で昇降することができるようにするために、ピニオン２２とラック２３及び移動部材３０と複数の昇降部材４０を上記栽培ガターの各前後端位置に設置し、減速モーター２１の駆動力が駆動パイプ２４によって前後に設置された上記ピニオンに伝達されて、前後のラックが同時に左右に移動する。
【００２３】
移動部材３０は、ローラーハンガー３１と、上ローラー３２及び下ローラー３２’と、左移動パイプ３３及び右移動パイプ３３’とを備えてなる。
【００２４】
ローラーハンガー３１はトラス１２に所定間隔で上端を固定して設置され、上記ローラーハンガーの下部には上ローラー３２及び下ローラー３２’が軸設される。
【００２５】
そして、上ローラー３２と下ローラー３２’との間には左側移動パイプ３３及び右側移動パイプ３３’が水平に貫通されるように支持されて、それぞれ円滑に左右移動する。
【００２６】
また、左側移動パイプ３３の右端と右側移動パイプ３３’の左端にはラック２３の左端と右端をそれぞれ挿入固定して、減速モーター２１が駆動すると、ピニオン２２の回転方向に沿って上記ラックによって左側移動パイプ及び右側移動パイプが同時に左側または右側に移動する。
【００２７】
昇降部材４０は、複数のハンガー４１と前後のスプロケットやプーリー４２、４２’と昇降チェーンやワイヤ４３、４３’とを備えてなる。
【００２８】
ハンガー４１はトラス１２に所定間隔で固設され、各下端には前後のプーリー４２、４２’が単一軸で設置されてそれぞれ回転する。
【００２９】
そして、減速モーター２１を中心にトラス１２の左右に位置するようになる複数のハンガー４１の各前後スプロケットやプーリー４２、４２’の上側には、上ローラー３２及び下ローラー３２’によって支持されて左右移動する左側移動パイプ３３及び右側移動パイプ３３’が通過する。
【００３０】
昇降チェーンやワイヤ４３は隣接する３つのハンガー４１を１組みにして、これらの中で中間位置のハンガー４１１に対応する部分を左側移動パイプ３３または右側移動パイプ３３’に固定クリップ４４に結束固定し、上記結束固定された部分を基準にして、左側部分４３ａはハンガー４１１の左側に位置するハンガー４１２に軸設されたスプロケットやプーリー４２’の左側を経て下向きにかけ、右側部分４３ｂはハンガー４１１の右側に位置するハンガー４１３に軸設されたスプロケットやプーリー４２の右側を経てハンガー４１１に軸設されたスプロケットやプーリー４２の左側を経て下向きにかける。
【００３１】
このようにかけて設置すれば、左側移動パイプ３３及び右側移動パイプ３３’が右側に移動する時には、上記昇降チェーンやワイヤは固定クリップ４４で上記左側移動パイプ及び右側移動パイプに固定されているので、同時に右側に移動するようになり、それによって、左側部分４３ａは引っ張られて上昇し、一方、右側部分４３ｂは下降して上記左側部分に敷設された栽培ガター５０は上昇し、上記右側部分に敷設された栽培ガター５０は下降するようになり、反対に、上記左側移動パイプ及び右側移動パイプが左側に移動するようになる時には、左側部分に敷設された栽培ガターは上昇し、右側部分に敷設された栽培ガターは下降する。
【００３２】
一方、昇降チェーンやワイヤ４３がかけられた３つのハンガー４１１、４１２、４１３の中でハンガー４１２を一つにして、その左側に順次に隣接する他の２つのハンガー４１と１組にした時、昇降チェーンやワイヤ４３’は各組のハンガー４１２の直左側である中間位置のハンガーに対応する部分を左側移動パイプ３３または右側移動パイプ３３’に固定クリップ４４で結束固定し、上記結束固定された部分を基準にして、左側部分は中間位置のハンガーの直左側に位置するハンガーに軸設されたスプロケットやプーリーの左側を経て下向きにかけ、右側部分はハンガー４１２に軸設されたスプロケットやプーリー４２’の右側とその直左側である上記中間位置ハンガーに軸設されたスプロケットやプーリーの左側を経て下向きにかける。
【００３３】
しかし、昇降チェーンやワイヤ４３がかけられた３つのハンガー４１１、４１２、４１３の中で、ハンガー４１３を一つにして、その右側に順次に隣接する他の２つのハンガー４１と１組にした時、昇降チェーンやワイヤ４３’は各組のハンガー４１３の直右側である中間位置ハンガーに対応する部分を左側移動パイプ３３または右側移動パイプ３３’に固定クリップ４４で結束固定し、上記結束固定された部分を基準にして、左側部分４３ａは中間位置ハンガーの直左側に位置するハンガー４１３に軸設されたスプロケットやプーリー４２’の左側を経て下向きにかけ、右側部分４３ｂは上記中間位置のハンガーの直右側に位置するハンガーに軸設されたスプロケットやプーリー４２の右側とその直左側である上記中間位置のハンガーに軸設されたスプロケットやプーリーの左側を経て下向きにかける。
【００３４】
このように昇降チェーンやワイヤ４３’をかけて設置すれば、左側移動パイプ３３及び右側移動パイプ３３’が右側に移動する時、上記昇降チェーンやワイヤは固定クリップ４４で上記左側移動パイプ及び右側移動パイプに固定されているので、同時に右側に移動するようになり、それによって、左側部分４３ａは引っ張られて上昇するようになり、一方、右側部分４３ｂは下降するようになって、上記左側部分に敷設された栽培ガター５０は上昇し、上記右側部分に敷設された栽培ガター５０は下降するようになり、反対に、上記左側移動パイプ及び右側移動パイプが左側に移動する時には、左側部分に敷設された栽培ガターは上昇し、右側部分に敷設された栽培ガターは下降するようになる。
【００３５】
このように、昇降チェーンやワイヤ４３、４３’をそれぞれ３つのハンガー４１を１組にして、前後のスプロケットやプーリー４２、４２’にかければ、左側移動パイプ３３及び右側移動パイプ３３’が右側または左側に移動する度に複数の栽培ガター５０は一つずつ交互に上昇及び下降するようになるので、上記下降した栽培ガターの間には上昇した栽培ガターによって作業者が移動することができる通路が形成される。
【００３６】
同時に、栽培ガター５０は栽培管理及び昇降作動を容易にするために、前後長さに比べて左右幅が狭くなるとともに、昇降チェーンやワイヤ４３、４３’の左端・右端に水平を維持するように敷設する。
【００３７】
また、栽培ガター５０は上下所定間隔に隔離されるように２段以上の多段に敷設してもよい。
【００３８】
図７は本発明の第２実施例による植物の大量生産装置が設置された温室を概略的に示した正面図であり、図８は図７で一部を抜粋して拡大して示した側面図であり、図９は図７で移動部材と昇降部材を抜粋して拡大した側面図である。
【００３９】
この第２実施例による植物の大量栽培装置は、上記第１実施例のように、温室１０の複数の柱１１の上部を水平に横切るトラス１２に設置される駆動手段２０と、上記駆動手段によって左右移動するように水平に設置される移動部材３０と、上記移動部材の左右移動によって昇降するように設置される複数の昇降部材４０と、上記昇降部材に吊り下げられるように敷設される複数の栽培ガター５０とを含んで構成されることは同一である。ただ、上記駆動手段と移動部材の構成要素を第１実施例と異なるようにしたことに特徴がある。
【００４０】
即ち、駆動手段２０はトラス１２に固設される減速モーター２１と上記減速モーターによって回転するように設置されるローラードラム２２ａと、上記ローラードラムに対応してトラスの反対側に軸設されるローラードラム２２ｂとで構成される。
【００４１】
そして、移動部材３０はローラードラム２２ａ、２２ｂの回動によってこれらの間を循環するようにかけて設置されるワイヤで構成される。
【００４２】
また、昇降部材４０の昇降チェーンやワイヤ４３、４３’は各対応する部分をハンガー４１の上側を通過する移動部材３０の上側部に固定クリップ４４でそれぞれ結束固定する。
【００４３】
このような本発明の第２実施例による植物の大量栽培装置は、第１実施例におけるピニオン２２とラック２３はローラードラム２２ａ、２２ｂに、左側移動パイプ３３及び右側移動パイプ３３’はワイヤである移動部材３０にそれぞれ変更したことを特徴とし、それ以外の構成及び作動は何れも第１実施例と同じであるので、その具体的な説明は省略する。
【００４４】
このように構成される本発明の第１実施例及び第２実施例による植物の大量栽培装置は、温室１０の面積を全部栽培面積として使うことができるように、左右幅は勿論、前後長さに沿って複数を設置するもので、その作動状態は次の通りである。
【００４５】
普段は複数の栽培ガター５０が同じ高さに水平に位置されるようにすることによって、全ての植物が太陽の光を均一に受けるようにし、種まきや栽培管理または収獲などのための作業者の移動通路が必要な時には、減速モーター２１を正駆動させて左側移動パイプ３３及び右側移動パイプ３３’または移動部材３０であるワイヤを右側に移動させる。
【００４６】
このようになれば、左側移動パイプ３３及び右側移動パイプ３３’または移動部材３０に対応する部分が固定クリップ４４で結束固定された昇降チェーンやワイヤ４３、４３’が一緒に右側に移動するので、上記昇降チェーンやワイヤの各左側部分４３ａが上昇すると同時に、右側部分４３ｂは下降する。
【００４７】
これによって、左側部分４３ａが下端に吊り下げられるように敷設された栽培ガター５０は上昇し、一方、右側部分４３ｂの下端に吊り下げられるように敷設された栽培ガター５０は下降するので、上記上昇した栽培ガターによって下降した複数の栽培ガターの間には作業者が移動することができる通路が形成される。
【００４８】
この時、栽培ガター５０が上昇する高さは作業者が立って移動するのに差し支えのない程度で、下降する高さは作業者が楽な姿勢で種まきや栽培管理または収獲などをすることができる程度である。
【００４９】
そして、種まきや栽培管理または収獲などを完了した後、作業者が温室１０から出た後には、減速モーター２１を逆駆動させて左側移動パイプ３３及び右側移動パイプ３３’または移動部材３０を左側に移動させる。
【００５０】
このようにすれば、左側移動パイプ３３及び右側移動パイプ３３’または移動部材３０に対応する部分が固定クリップ４４で結束固定された昇降チェーンやワイヤ４３、４３’が一緒に左側に移動するようになり、これによって上記昇降チェーンやワイヤの各左側部分４３ａは下降するようになるとと同時に、右側部分４３ｂは上昇するようになるので、全ての栽培ガター５０は再び同じ高さに水平状態に位置するようになって、植物は太陽の光を均一に受けながら生長するようになる。
【００５１】
一方、上記第１実施例及び第２実施例では、昇降チェーンやワイヤ４３、４３’をそれぞれ  ３つのハンガー４１を１組にした２つの組にそれぞれかけた例で説明したが、必ずこれに限定されるのではなく、上記ハンガーが２組以上の組に設置される場合には、その増加する組に比例して昇降チェーンやワイヤの数も追加設置すればよい。
【００５２】
図１１は本発明の第１実施例及び第２実施例による植物の大量生産装置に適用される昇降部材の他の例を示した拡大正面図である。
【００５３】
この他の例による昇降部材４０は、左側移動パイプ３３及び右側移動パイプ３３’やワイヤである移動部材３０が上側を通過するようにトラスに所定間隔に固設される複数のハンガー４１の中で互いに隣接する２つのハンガーを１組にして、各組に昇降チェーンやワイヤ４３をそれぞれかけて設置することを特徴とし、これを除いた以外の構成及び作動は何れも第１実施例及び第２実施例と同じであるので、その具体的な説明は省略する。
【００５４】
このように、  ２つのハンガー４１を１組にして、各組の上記ハンガーを通過する左側移動パイプ３３または右側移動パイプ３３’やワイヤである移動部材３０に昇降チェーンやワイヤ４３をかける時には、上記左側移動パイプまたは右側移動パイプやワイヤである移動部材の各組の中間に対応する昇降チェーンやワイヤの部分を固定クリップ４４で結束固定し、上記結束固定された部分を基準にして、下端に栽培ガター５０を敷設する左側部分４３ａは、上記ハンガーの中で左側位置ハンガーのスプロケットやプーリー４２の左側を経て下向きにかけ、下端に上記栽培ガターを敷設する右側部分４３ｂは右側位置ハンガーのスプロケットやプーリーの右側を経て下向きにかける。
【００５５】
このように設置すれば、駆動モーター２１の駆動方向に沿って左側移動パイプ３３または右側移動パイプ３３’やワイヤである移動部材３０が右側に移動する時には、昇降チェーンやワイヤ４３が右側に移動するようになって、左側部分４３ａに敷設された栽培ガター５０は上昇し、右側部分４３ｂに敷設された上記栽培ガターは下降する。
【００５６】
図１２は本発明の第１実施例及び第２実施例による植物の大量生産装置に適用される昇降部材のまた他の例を示した拡大正面図であり、図１２ｂは図１２ａで昇降部材の一部を抜粹して示した平面図である。
【００５７】
このまた他の例による昇降部材４０は、左側移動パイプ３３及び右側移動パイプ３３’やワイヤである移動部材３０が上側を通過するようにトラスに所定間隔で固設され、各下端に前後のスプロケットやプーリー４２、４２’が単一軸で設置される複数のハンガー４１の中で隣接する４つのハンガーを１組にする各組に昇降チェーンやワイヤ４３をそれぞれかけて設置することを特徴とし、これを除いたそれ以外の構成及び作動は何れも第１実施例及び第２実施例と同じであるので、その具体的な説明は省略する。
【００５８】
このように、４つのハンガー４１を１組にする各組に昇降チェーンやワイヤ４３をかける時は、上記各組のハンガーを通過する左側移動パイプ３３または右側移動パイプ３３’やワイヤである移動部材３０の上記４つのハンガーの中で左側から二番目と三番目のハンガーの中間位置に対応する昇降チェーンやワイヤの部分を固定クリップ４４で結束固定する。
【００５９】
そして、昇降チェーンやワイヤ４３の結束固定された部分を基準にして、下端に栽培ガター５０を敷設する左側部分４３ａは、左側から一番目のハンガー４１のスプロケットやプーリー４２の左側を経て下向きにかけ、下端に上記栽培ガターを敷設する右側部分４３ｂは左側から四番目のハンガー４１のスプロケットやプーリー４２の右側と下部を経て三番目のハンガー４１のスプロケットやプーリー４２の下部と二番目のハンガー４１のスプロケットやプーリー４２の上部と左側を経て下向きにかける。
【００６０】
また、昇降チェーンやワイヤ４３がかけられる４つのハンガー４１の中で、三番目と四番目のハンガー４１と上記四番目のハンガーの右側に順次に隣接する他の２つのハンガーを１組にする時は、これらハンガーを通過する左側移動パイプ３３または右側移動パイプ３３’や移動部材３０の四番目のハンガー４１とその直右側である五番目のハンガー４１の中間位置に対応する昇降チェーンやワイヤ４３’の部分を結束固定し、上記結束固定された部分を基準にして、下端に栽培ガター５０を敷設する左側部分４３ａは、三番目のハンガー４１のスプロケットやプーリー４２’の左側を経て下向きにかけ、下端に上記栽培ガターを敷設する右側部分４３ｂは、五番目のハンガー４１の直右側である六番目のハンガー４１のスプロケットやプーリー４２’の右側と下面を経て五番目のハンガー４１のスプロケットやプーリー４２’の下面と四番目のハンガー４１のスプロケットやプーリー４２’の上部と左側を経て下向きにかける。
【００６１】
このように、前後の昇降チェーンやワイヤ４３、４３’を各組に設置すれば、各組の左側部分４３ａ及び右側部分４３ｂに敷設された栽培ガター５０は何れも同じ高さに水平状態で位置される。
【００６２】
このような状態で駆動モーター２１の駆動方向に沿って、左側移動パイプ３３または右側移動パイプ３３’やワイヤである移動部材３０が右側に移動する時には、前後の昇降チェーンやワイヤ４３、４３’が同時に右側に移動するようになるので、各組の左側部分４３ａに敷設された栽培ガター５０は上昇し、右側部分４３ｂに敷設された栽培ガター５０は下降して、上昇及び下降した上記各組の栽培ガターの間に通路が形成され、その後、右側移動パイプやワイヤである移動部材が左側に移動して原位置すれば、左側部分に敷設された栽培ガターは下降し、右側部分に敷設された栽培ガターは上昇して再び同じ高さに水平状態に位置するようになる。
【００６３】
一方、上記第１実施例及び第２実施例では、各組の左側部分４３ａに敷設された栽培ガター５０が上昇すれば、右側部分４３ｂに敷設された栽培ガター５０は下降して通路が形成され、上記左側部分に敷設された栽培ガターが下降すれば、各栽培ガターが同じ高さに水平状態に止められていることで説明したが、必ずこれに限定されるのではなく、これと反対に、上記左側部分に敷設された栽培ガターが下降すれば右側部分に敷設された栽培ガターが上昇して通路が形成され、左側部分に敷設された栽培ガターが上昇すれば右側部分に敷設された栽培ガターが下降して、各栽培ガターが同じ高さに水平状態に止められているようにしてもよい。
【００６４】
同時に、前後の昇降チェーンやワイヤ４３、４３’の左側部分４３ａ及び右側部分４３ｂには栽培ガター５０が敷設されていることから、これらの重量によって上記前後の昇降チェーンやワイヤは、左側移動パイプ３３または右側移動パイプ３３’や移動部材３０が移動する時、スプロケットやプーリー４２、４２’から脱しないで円滑に移動及び昇降するようになる。
【００６５】
このように作動する本発明の第１実施例及び第２実施例による植物の大量栽培装置は、温室１０の面積を全部栽培面積として使うことができるので、収穫量が倍加されるようにする特徴がある。
【符号の説明】
【００６６】
１０：温室  
２０：駆動手段
２１：減速モーター  
２２：ピニオン
２２ａ、２２ｂ：ローラードラム  
２３：ラック
３０：移動部材  
３１：ローラーハンガー
３２：上ローラー及び下ローラー
３３、３３’：左側移動パイプ及び右側移動パイプ
４０：昇降部材
４１：ハンガー
４２、４２’：スプロケットやプーリー
４３、４３’：昇降チェーンやワイヤ
４３ａ：左側部分
４３ｂ：右側部分
５０：栽培ガター
【図１】
2014083051.tif 000003
【図２】
2014083051.tif 000004
【図３ａ】
2014083051.tif 000005
【図３ｂ】
2014083051.tif 000006
【図３ｃ】
2014083051.tif 000007
【図４】
2014083051.tif 000008
【図５】
2014083051.tif 000009
【図６ａ】
2014083051.tif 000010
【図６ｂ】
2014083051.tif 000011
【図７ａ】
2014083051.tif 000012
【図７ｂ】
2014083051.tif 000013
【図８】
2014083051.tif 000014
【図９】
2014083051.tif 000015
【図１０】
2014083051.tif 000016
【図１１】
2014083051.tif 000017
【図１２ａ】
2014083051.tif 000018
【図１２ｂ】
2014083051.tif 000019